(57)【要約】      （修正有）【課題】携帯電話機を閉じた状態でも、表示する画像情報に適した操作がタッチスクリーン上で可能であり、またユーザの意図していないタッチスクリーンの操作を防ぐ携帯端末を提供する。【解決手段】タッチスクリーンに、ある画像が表示されると、主制御部２０はその画像情報から表示モードを決定し、記憶されたテーブルを参照して、表示モードに対応する操作ボタンのパターンを呼び出し、「初期表示」の３つの操作ボタンをタッチスクリーンに表示する。操作ボタン４つ以上ある場合、スクロール操作により他の操作ボタンを表示させる。携帯電話機に着呼があると、タッチスクリーン制御部はタッチ操作をロックし、スクロール操作のみ有効とする。ユーザが表示された矢印の方向に従ってスクロール操作すると、スクロール操作を検知して、タッチスクリーン全体をロック解除し、タッチ操作を有効にする。【選択図】図２
2010271979.tif 000002
【特許請求の範囲】
【請求項１】
画像情報を表示する第１の表示領域と、操作キーを表示する第２の表示領域の少なくとも２つの表示領域を有する表示部と、
前記表示部へ接触することにより入力を行う接触入力部と、
前記接触入力部での入力を検知する接触検知部と、
前記表示部で表示される前記画像情報の種類と、対応する前記操作キーのパターンとのテーブルを格納するテーブル記憶部と、
前記テーブル記憶部で格納されている前記テーブルから、前記第１の表示領域に表示された前記画像情報の種類に対応する前記操作キーのパターンを読み出し、前記第２の表示領域に表示させる制御部と、
を有し、
前記第２の表示領域は、所定数の前記操作キーを表示し、制御部が読み出した前記操作キーのパターン全てを、ユーザのスクロール操作により所定数毎に表示する、
ことを特徴とする携帯端末。
【請求項２】
前記接触検知部は、着呼があった場合、前記表示部の第１の表示領域における入力を検知せず、前記第２の表示領域におけるスクロール操作のみを検知する
ことを特徴とする請求項１記載の携帯端末。
【請求項３】
前記制御部は、前記第１の表示領域に表示された画像情報の種類に対応する前記操作キーのパターンのうち、あらかじめ決められた前記操作キーを初期表示の操作キーとして、前記第２の表示領域に最初に表示する、
ことを特徴とする請求項１記載の携帯端末。
【請求項４】
前記第２の表示領域は、上下左右のスクロール操作により前記操作キーを表示する
ことを特徴とする請求項１記載の携帯端末。
【発明の詳細な説明】
【技術分野】
【０００１】
本発明は、携帯電話等の携帯端末に係り、特にタッチパネルを備えた携帯端末に関する。
【背景技術】
【０００２】
従来、携帯電話機やＰＤＡ（Personal Digital Assistant）などの携帯端末において、その表示部にタッチパネルを搭載したものが知られている。このようなタッチパネルは、圧力変化や静電容量変化によって形成されるタッチセンサと表示部とを組み合わせており、例えば操作を要求するメニュー画面においてメニュー項目が表示された画面を直接タッチすることによって、タッチされた位置に該当する項目が選択されるようになっている。また、ユーザがタッチパネル上において指やタッチペンなどの物体を移動させ、物体の移動に合わせてスクロールする方法も知られている
携帯電話機の形状が回転２軸式やスライド式の場合、図９に示すように携帯電話機を閉じるとタッチパネルが外側前面に出て、操作キーのすべて、あるいは一部が隠れる。タッチパネルにも一部の操作ボタンが表示されるが、現在表示されている画面情報に適応した操作ボタンが表示されているとは限らず、携帯電話機を閉じた状態での操作は限られてしまう。
【０００３】
特許文献１では、表示画面より大きなサイズのキーボード画像の一部を表示し、ユーザが画面をスクロールすることでキーボード画像を移動させ、所望のキーを入力する技術が開示されている。
【先行技術文献】
【特許文献】
【０００４】
【特許文献１】特開２００３−３１６５０２号公報
【発明の概要】
【発明が解決しようとする課題】
【０００５】
携帯電話機を閉じている場合、例えば、アドレス帳の検索やメールの閲覧等、単純な操作を行おうとすると、タッチパネル上に対応する最適な操作ボタンが表示されていないことが多い。そのため、携帯電話機をその都度開き、操作キーから操作しなければならず、煩雑である。
【０００６】
また携帯電話機には、バッグ等に入れた場合のタッチパネルの誤動作を防ぐために、キーロック機能が備えられている。ただし、音声着信時においては、ユーザが直ぐに応答できるよう、キーロックを自動解除してタッチパネルのどの位置を押下しても音声着信ができる「エニーキーアンサー機能」を有する携帯電話機が多い。この時、携帯電話機がバッグ等に入っていると、タッチパネルに物が触れて誤って応答してしまい、誤動作を招く可能性がある。
【０００７】
本発明はこのような点に鑑みてなされたもので、携帯電話機を閉じた状態でも、表示する画像情報に適した操作がタッチスクリーン上で可能であり、またユーザの意図していないタッチスクリーンの操作を防ぐ携帯端末を提供することを目的とする。
【課題を解決するための手段】
【０００８】
本発明に係る携帯端末は、画像情報を表示する第１の表示領域と、操作キーを表示する第２の表示領域の少なくとも２つの表示領域を有する表示部と、前記表示部へ接触することにより入力を行う接触入力部と、前記接触入力部での入力を検知する接触検知部と、前記表示部で表示される前記画像情報の種類と、対応する前記操作キーのパターンとのテーブルを格納するテーブル記憶部と、前記テーブル記憶部で格納されている前記テーブルから、前記第１の表示領域に表示された前記画像情報の種類に対応する前記操作キーのパターンを読み出し、前記第２の表示領域に表示させる制御部と、を有し、前記第２の表示領域は、所定数の前記操作キーを表示し、制御部が読み出した前記操作キーのパターン全てを、ユーザのスクロール操作により所定数毎に表示する、ことを特徴とする。
【発明の効果】
【０００９】
本発明に係る携帯端末によれば、携帯電話機を閉じた状態でも、表示する画像情報に適した操作がタッチスクリーン上で可能であり、またユーザの意図していないタッチスクリーンの操作を防ぐ携帯端末を提供することができる。
【図面の簡単な説明】
【００１０】
【図１】（Ａ）は本発明の一実施形態に係る携帯電話機の開いた状態の斜視図、（Ｂ）は携帯電話機の閉じた状態の斜視図。
【図２】本発明の一実施形態に係る携帯電話機の概略構成を示すブロック図。
【図３】同上の一実施形態に係る画像情報の種類（表示モード）と対応する操作ボタンのテーブルの一例を示す図。
【図４】同上の一実施形態に係る領域Ａ、Ｂに分割したタッチスクリーンの表示例であり、（Ａ）は領域Ｂの操作ボタンが３つの場合の表示例を示す図、（Ｂ）は領域Ｂをスクロールする場合の概念図、（Ｃ）は領域Ｂの操作ボタンが４つ以上の場合の操作ボタンの概念図。
【図５】同上の一実施形態に係る携帯電話機の（Ａ）「待受けモード」での表示画面、（Ｂ）「発信モード」での表示画面、（Ｃ）「通常モード」での表示画面を示す図。
【図６】同上の一実施形態に係る、領域Ｂでの操作ボタン表示の動作を示すフローチャート。
【図７】同上の一実施形態に係る、領域Ｂの操作ボタンのスクロール表示順の例であり、（Ａ）は機能ボタンと数字ボタンとが上下２段、（Ｂ）は機能ボタンと数字ボタンがそれぞれ複数の段組、（Ｃ）は機能ボタンが２段と数字ボタン１段、でのスクロール表示順の例を示す図。
【図８】同上の実施形態における、携帯電話機の着呼があった場合の動作を示すフローチャート。
【図９】回転２軸式およびスライド式の携帯電話機の一例を示す図。
【発明を実施するための形態】
【００１１】
以下、本発明の実施形態を添付図面に基づいて説明する。
【００１２】
図１は、本発明の一実施形態に係る携帯端末を適用した携帯電話機１の斜視図であり、（Ａ）は開いた状態を示し、（Ｂ）は閉じた状態を示す。携帯電話機１は、矩形の板状の上筐体１０と、この上筐体１０とほぼ同形状をした下筐体１１とが、閉じた状態で、相互に一面を覆うように積層されることにより形成されている。これらの上筐体１０及び下筐体１１は、所定方向（図１のＸ方向）に相互に所定長さだけスライド可能なように結合されていて、上筐体１０を下筐体１１に対してスライドさせることにより、閉じた状態から開いた状態に、あるいは開いた状態から閉じた状態に変形される。
【００１３】
上筐体１０の外面（下筐体１１に対面しない側の面）には、データを表示するとともに接触によりデータを入力するタッチスクリーン１２（表示部、接触入力部、接触検知部）、音声を出力するためのレシーバ１３、音声を集音するためのマイクロフォン１４が設けられている。これらのタッチスクリーン１２、レシーバ１３、マイクロフォン１４は、携帯電話機１が閉じた状態であっても開いた状態であっても外部に露出されるように設けられている。よって、携帯電話機１が閉じた状態であっても開いた状態であっても、ユーザはタッチスクリーン１２の画面を視認したり、携帯電話機１を用いて通話を行ったりすることができる。
【００１４】
下筐体１１の内面（上筐体１０に対面する側の面）には、ユーザが押下することにより指示を入力するための複数の操作キー１５が設けられている。携帯電話機１が閉じた状態のとき、これらの操作キー１５は、上筐体１０により覆われていて外部に露出されていない。上筐体１０を下筐体１１に対してスライドさせて携帯電話機１を開いた状態に変形させたとき、操作キー１５は外部に露出されるので、ユーザは操作キー１５を介して指示を入力することができる。
【００１５】
タッチスクリーン１２は、データを表示するとともに、接触によってデータが入力される機能を有する。タッチスクリーン１２は、文字や画像等からなる表示データを表示する表示機能、及び、ユーザが指や専用のペンで画面に触れた際にこの接触の位置を検知することにより指示を入力する入力機能の双方の機能を備えたディスプレイである。
【００１６】
タッチスクリーン１２は、例えばディスプレイの上に、表面に接触を検知するための素子が複数配置され、さらにその上に透明なスクリーンが積層されることにより形成されている。タッチスクリーン１２上での接触を感知する方法は、圧力の変化を感知する感圧式であっても、静電気による電気信号を感知する静電式であっても、その他の方法であっても良い。
【００１７】
図２は、携帯電話機１の概略構成を示すブロック図である。携帯電話機１は、主制御部２０（制御部）、電源回路部２１、タッチスクリーン制御部２２（接触入力部、接触検知部）、タイマ２３、テーブル記憶部２４、音声制御部２５、通信制御部２６、記憶部２７、情報記憶媒体２８が相互に通信可能に接続されて構成されている。
【００１８】
電源回路部２１は、電力供給源（バッテリ等）を備え、所定の操作キーを介した入力に基づいて携帯電話機１の電源のＯＮ／ＯＦＦ状態を切り替え、電源がＯＮ状態の場合に電力供給源から各部に対して電力を供給して、携帯電話機１を動作可能にする。
【００１９】
タッチスクリーン制御部２２はタッチスクリーン１２に対する入力インタフェースおよび表示インタフェースを備えている。タッチスクリーン１２が物体の接触を検知すると、タッチスクリーン制御部２２はタッチスクリーン１２を点灯し、その接触があった位置座標を取得して主制御部２０に伝送する。また、タッチスクリーン１２に接触していた物体が離れると、タッチスクリーン制御部２２は接触時に取得した位置座標を消去する。また、例えばユーザの指がタッチスクリーン１２に接触したまま任意の方向へなぞると、タッチスクリーン制御部２２はなぞった始点と終点の接触位置座標を取得し主制御部２０に伝送する。
【００２０】
またタッチスクリーン制御部２２は、タッチスクリーン１２の表示領域を、座標により画像情報を表示する領域（領域Ａとする）と操作ボタンを表示する領域（領域Ｂとする）の２つに分け（図４等参照）、検知した位置座標から、どの領域に接触したかを判別する。
【００２１】
またタッチスクリーン制御部２２は、主制御部２０の制御に基づいて、文書データや画像データ等をタッチスクリーン１２に表示する。
【００２２】
タイマ２３は、タッチスクリーン１２への接触を検知すると起動し計時する。
【００２３】
操作キー１５での入力あるいはタッチスクリーン１２での接触入力が行われた時、タッチスクリーン１２にデータを表示する時、または通信が行われる時に、タッチスクリーン制御部２２はタッチスクリーン１２の照明を点灯させる。また、操作キー１５やタッチスクリーン１２からの入力が無く、通信も行われずに、タイマ２３がある所定時間を経過すると、タッチスクリーン制御部２２はタッチスクリーン１２の照明を消灯させ、タッチスクリーン１２からの入力操作を無効にし、次に操作キー１５からの入力があるまで携帯電話機１の機能をスリープさせる。
【００２４】
音声制御部２５は、主制御部２０の制御に基づいて、マイクロフォン１４で集音された音声からアナログ音声信号を生成し、このアナログ音声信号をデジタル音声信号に変換する。また音声制御部２５は、デジタル音声信号を取得すると、主制御部２０の制御に基づいて、このデジタル音声信号をアナログ音声信号に変換し、レシーバ１３から音声として出力する。
【００２５】
通信制御部２６は、主制御部２０の制御に基づいて、基地局からアンテナ２６ａを介して受信した受信信号をスペクトラム逆拡散処理してデータを復元する。このデータは、主制御部２０の指示により、音声制御部２５に伝送されてレシーバ１３から出力されたり、タッチスクリーン制御部２２に伝送されてタッチスクリーン１２に表示されたり、または記憶部２７に記録されたりする。また通信制御部２６は、主制御部２０の制御に基づいて、マイクロフォン１４で集音された音声データや、タッチスクリーン１２を介して入力されたデータや記憶部２７に記憶されたデータを取得すると、これらのデータに対してスペクトラム拡散処理を行い、基地局に対してアンテナ２６ａを介して送信する。
【００２６】
記憶部２７は、主制御部２０や通信制御部２６などのワーク領域となるもので、その機能はＲＡＭ（Ｒａｎｄｏｍ  Ａｃｃｅｓｓ  Ｍｅｍｏｒｙ）などにより実現できる。
【００２７】
情報記憶媒体２８（コンピュータにより読み取り可能な媒体）は、プログラムやデータなどを格納するものであり、その機能は、ハードディスク、或いはメモリ（ＲＯＭ：Ｒｅａｄ  Ｏｎｌｙ  Ｍｅｍｏｒｙ）などにより実現できる。情報記憶媒体２８は、本実施形態の各部としてコンピュータを機能させるためのプログラム（各部の処理をコンピュータに実行させるためのプログラム）、複数のアプリケーション等が記憶される。
【００２８】
主制御部２０は、ＣＰＵ（Ｃｅｎｔｒａｌ  Ｐｒｏｃｅｓｓｉｎｇ  Ｕｎｉｔ）を具備し、携帯電話機１の総括的な制御を行うとともに、その他の様々な演算処理や制御処理などを行う。主制御部２０の機能は各種プロセッサ（ＣＰＵ、ＤＳＰ等）、ＡＳＩＣ（ゲートアレイ等）などのハードウェアや、プログラムにより実現できる。主制御部２０は、情報記憶媒体２８に格納されるプログラム（データ）に基づいて本実施形態の種々の処理を行う。
【００２９】
テーブル記憶部２４は、タッチスクリーン１２の領域Ａに表示される画像情報の種類（以後「表示モード」と呼ぶ）と、タッチスクリーン１２の領域Ｂに表示される、表示モードに対応する操作ボタンのテーブルを格納している。図３にテーブルの一例を示す。図３において、例えば領域Ａに表示される表示モードが「通常モード」の場合、領域Ｂに表示される操作ボタンは、「クリア／メモ」、「メール」、「Web」、「発信」、「終話」、「クイック」である。なお、図３で示した表示モード以外の画像情報の種類が領域Ａに表示される場合、主制御部２０は、タッチスクリーン１２の領域Ｂに「通常モード」に対応した操作ボタンを表示させる。
【００３０】
図４にタッチスクリーン１２における表示例を示す。タッチスクリーン１２の上部の画像情報表示領域を領域Ａ、下部の操作ボタン表示領域を領域Ｂとする。主制御部２０は、タッチスクリーン１２の領域Ａで表示されている画像情報から表示モードを決定し、その表示モードに対応した操作ボタンのパターンを、テーブル記憶部２４に格納された図３に示すテーブルを参照して呼び出す。ここで、対応する操作ボタンが４つ以上の表示モードもあるが、図４（Ａ）に示すように、タッチスクリーン１２の領域Ｂには、領域Ｂの表示スペースやボタンの押しやすさの関係上、表示モードに対応する操作ボタンすべてが表示される訳ではなく、例えば３つまでしか表示されない。
【００３１】
そこで、主制御部２０は、呼び出した操作ボタンのうち、図３に示す「初期表示」の枠で囲まれている３つの操作ボタンを領域Ｂに最初に表示させる。他の選択可能な操作ボタンは領域Ｂに表示されず隠れて見えない状態になっており、図４（Ｂ）、（Ｃ）に示すように、ユーザが領域Ｂを左右にスクロールすることで表示される。ユーザが例えば右から左に１回スクロールする毎に、操作ボタンが例えば図３に表記された並び順に３つずつ表示される。例えば、表示モードが「待受けモード」の時、現在領域Ｂに表示されている操作ボタンが初期表示の「アドレス帳」、「メニュー」、「アプリ」であったとして、ユーザが領域Ｂを右から左に１回スクロールすると、領域Ｂには図３に表記される操作ボタンの並び順で、「アプリ」の右隣である、「クリア／メモ」、「メール」、「Ｗｅｂ」の操作ボタンが表示される。ユーザがさらに領域Ｂを右から左に１回スクロールすると、「発信」、「終話」、「クイック」の操作ボタンが表示される。
【００３２】
また、他の操作ボタンが存在してスクロール可能であることをユーザに判るようにするために、図４（Ｂ）のａのように、領域Ｂの左または右に操作ボタンの一部が表示されてもよい。また、ユーザが領域Ｂを左右どちらか一方向にスクロールし続けた時、領域Ｂでの操作ボタン表示は、「初期表示」の操作ボタンに戻って繰り返し表示ができる繰り返し連続表示でもよいし、操作ボタンの表示順が図３のように一行に並んでいるとして、「初期表示」における操作ボタンが表示された時は左端なので左から右へのスクロールはできず、右端の操作ボタンが表示された時は右から左へのスクロールができない、という一行表示でもよい。
【００３３】
図５に、図３のテーブルに対応したタッチスクリーン１２の表示例を示す。領域Ａの画像情報表示が待受画面の時（図５の（Ａ））、表示モードは図３の「待受けモード」であるので、領域Ｂは待受けモードにおける初期表示の操作ボタン「アドレス帳」、「メニュー」、「アプリ」が表示される。領域Ｂを左右にスクロールすると、「待受けモード」に対応した他の操作ボタンが順に表示される。
【００３４】
図５（Ａ）の画像情報表示のときに、領域Ｂの「アドレス帳」ボタンを押下すると、領域Ａはアドレス帳表示に遷移する（図５の（Ｂ））。このとき対応する表示モードは図３の「発信モード」であるので、領域Ｂは発信モードにおける初期表示の操作ボタン「クリア／メモ」、「発信」、「終話」が表示される。領域Ｂを左右にスクロールすると、「発信モード」に対応した他の操作ボタンが順に表示される。
【００３５】
図５（Ｂ）の画像情報表示のときに、領域Ｂの「発信」ボタンを押下すると、領域Ａは発信の画像表示になる（図５の（Ｃ））。このときの領域Ａの画像情報の種類は図３に示す表示モードに対応しないので、領域Ｂは「通常モード」に対応した操作ボタンが表示される。
【００３６】
図６に上記の動作におけるフローチャートを示す。携帯電話機１において、タッチスクリーン１２の領域Ａに、ある画像が表示されると、主制御部２０はその画像情報から表示モードを決定する（ステップＳ１１）。次に主制御部２０は、テーブル記憶部２４に格納された図３に示すテーブルを参照して、領域Ａに表示された表示モードに対応する操作ボタンのパターンを呼び出す（ステップＳ１３）。次に、主制御部２０は、ステップＳ１３で呼び出された操作ボタンのうち、図３に示す「初期表示」の３つの操作ボタンをタッチスクリーン１２の領域Ｂに表示する（ステップＳ１５）。ステップＳ１１で表示された表示モードに対応する操作ボタンのパターンが４つ以上ある場合（ステップＳ１７で「Ｙｅｓ」）、主制御部２０は、領域Ｂにおけるスクロール操作により、呼び出した他の操作ボタンを領域Ｂに表示させる（ステップＳ１９）。
【００３７】
領域Ｂに表示される操作ボタンは、携帯電話機を開いて操作キー１５からでも入力ができるものであるが、少々の操作のために携帯電話機を開いて操作するのが煩わしいときに、携帯電話機を閉じた状態でも、タッチスクリーン１２に操作キー１５と同じ機能をもつ操作ボタンが表示され、タッチ操作が可能である。
【００３８】
また、領域Ｂに表示される操作ボタンは、図７のように機能ボタンと数字ボタンとが段組状になってテーブル記憶部２４に格納され、左右スクロールだけでなく上下スクロールでも切り替えを行い表示されるようにしてもよい。図７（Ａ）は１段目に機能ボタン、２段目に数字ボタンを割り当て、ユーザは１段目で機能を左右スクロールで選択した後に上下スクロールで２段目を表示させて、数字を選択することができる。図７（Ｂ）は、機能ボタンと数字ボタンをそれぞれ上下スクロールで切り替えるようにし、機能ボタンと数字ボタンとは左右スクロールで切り替える。ユーザは例えば所望の機能ボタンの行で左右スクロールを行って数字ボタンを表示させ、選択することができる。図７（Ｃ）は、１段目に「クリア／メモ」、「メール」、「Web」の３つの操作ボタン、２段目に「アドレス」、「ＯＫ」、「アプリ」の３つの操作ボタン、３段目に数字ボタンと「クリア／メモ」、「発信」、「終話」の操作ボタンを割り当て、ユーザは上下スクロールで選択することができる。図７より、左右スクロールだけでなく、上下にもスクロールすることで、操作ボタンをさらに選択することができる。
【００３９】
次に、本実施形態の携帯電話機１における、着呼があった場合の動作について、図８を参照して説明する。
【００４０】
携帯電話機１は待受け状態であり、タッチスクリーン１２は画面全体でタッチ操作が有効である（ステップＳ１０１）。通信制御部２６で着呼を受けると（ステップＳ１０３で「Ｙｅｓ」）、タッチスクリーン制御部２２はタッチスクリーン１２の領域Ａについてタッチ操作をロックし、領域Ｂをスクロール操作のみ有効とする（ステップＳ１０５）。同時に主制御部２０は、領域Ｂに、図３での「着信モード」に対応した操作ボタンの初期表示である、矢印ボタンを表示させる（ステップＳ１０６）。
【００４１】
次に、ユーザが領域Ｂを矢印ボタンの矢印の方向にスクロール操作すると（ステップＳ１０７で「Ｙｅｓ」）、タッチスクリーン制御部２２は、領域Ｂでのスクロール操作を検知して、タッチスクリーン１２全体をロック解除し、タッチ操作を有効にする（ステップＳ１０９）。主制御部２０は、領域Ｂに「クリア／メモ」、「発信」、「終話」の操作ボタンを表示させる。
【００４２】
これにより、携帯電話機を例えばバッグ等に入れていて着信があったときに、領域Ａのタッチスクリーンはロックされて、領域Ｂでのスクロール操作のみを有効とするので、携帯電話機をバッグから取り出す際に誤ってディスプレイを押下しても応答操作とならず、誤動作を防ぐことができる。
【００４３】
以上により、本発明のタッチスクリーンを有する携帯電話機は、操作キーを用いなくても、タッチスクリーン上に画像情報に対応した操作ボタンが表示されるため、携帯電話機を開いて操作キーを出す煩雑さを解消し、簡単かつ適切な操作をタッチスクリーン上で行うことができる。また、操作ボタンの表示領域をスクロールすることにより、表示しきれない操作ボタンも表示することができ、限られた表示領域内でも複数の操作が可能となる。
【００４４】
また、音声着呼の際に、タッチスクリーンの領域Ｂのみスクロールだけの操作を有効にし、他の領域は操作をロックして、応答の際に領域Ｂをスクロールしてロック解除を行う。これにより、携帯電話機がバッグ等に入っている場合の誤動作を防ぐことができる。
【００４５】
以上、本発明の実施形態について図面を参照して詳述してきたが、具体的な構成はこの実施形態に限られるものではなく、本発明の要旨を逸脱しない範囲の設計変更等も含まれる。
【００４６】
また、上記実施形態における携帯電話機の代わりに、無線通信機能を備えた携帯型パーソナル・コンピュータ又はＰＤＡ（Personal Digital Assistance）、携帯音楽プレイヤー、携帯ビデオカメラ、携帯ゲーム機等に本発明を適用してもよい。
【符号の説明】
【００４７】
１…携帯電話機、１２…タッチスクリーン、１３…レシーバ、１４…マイクロフォン、１５…操作キー、２０…主制御部、２１…電源回路部、２２…タッチスクリーン制御部、２３…タイマ、２４…テーブル記憶部、２５…音声制御部、２６…通信制御部、２６ａ…アンテナ、２７…記憶部、２８…情報記憶媒体。
【図１】
2010271979.tif 000003
【図２】
2010271979.tif 000004
【図３】
2010271979.tif 000005
【図４】
2010271979.tif 000006
【図５】
2010271979.tif 000007
【図６】
2010271979.tif 000008
【図７】
2010271979.tif 000009
【図８】
2010271979.tif 000010
【図９】
2010271979.tif 000011